(57)【要約】本発明は、圧力下の調理器具のシールに関する。蓋が装着されるようになっている容器と、容器と蓋との間に挿入され、動作中、調理器具の密封を確実にするシールと、容器および蓋に対するシールの相対的な心出しを確実にすることを目的とした心出し手段（５Ａ）とを含む調理器具において、そのシールは、外縁輪（４）と、その外縁輪（４）の下にありその外縁輪（４）を延長する外縁下輪（４Ａ）と、心出し手段（５Ａ）が、心出しされた当接を形成するために蓋が容器に配される場合、前記心出し手段が蓋と容器との間に挿入可能とされるようにシールに構成され、即ち、配される心出し手段であって、複数の局所的な厚肉領域（５Ａ）から作られ、前記外縁下輪（４Ａ）の内面（４Ｂ）上に配置され、容器と係合することを目的とした心出し手段とを有することを特徴とする。本発明は、また、加圧された調理器具にも関する。
2013515530.tif 000002
【特許請求の範囲】
【請求項１】
加圧された調理器具用のシーリングガスケット（１）であって、
前記器具は、蓋（３）が装着されるように設計されている容器（２）と、前記器具が動作中の場合、該器具を密封するための前記容器（２）と前記蓋（３）との間に介在されるシーリングガスケット（１）と、前記ガスケット（１）を前記容器（２）および前記蓋（３）に対して心出しするように設計された心出し手段（５、５Ａ）とを含み、
前記シーリングガスケット（１）は、外縁輪（４）と、前記外縁輪（４）の下に延在し前記外縁輪（４）を延長する外周下輪（４Ａ）と、心出し用当接を形成するように前記蓋（３）が、前記容器（２）に配置される間、前記心出し手段（５）が前記蓋（３）と前記容器（２）との間に介在可能となるように、前記ガスケット（１）内に設けられ配設される前記心出し手段（５、５Ａ）と、を含み、
前記心出し手段が、複数の局所的な厚肉領域（５Ａ）によって形成され、前記局所的な厚肉領域（５Ａ）が、前記外周下輪（４Ａ）の内面（４Ｂ）上に位置付けられ、前記容器（２）と接触するように設計されることを特徴とするシーリングガスケット（１）。
【請求項２】
前記局所的な厚肉部（５Ａ）が、円柱状のドーム形によって形成されることを特徴とする請求項１に記載のガスケット（１）。
【請求項３】
前記心出し手段（５）が、前記外縁輪（４）と一体形成されるか、または、前記外縁輪（４）に固定されることを特徴とする請求項１または請求項２に記載のガスケット（１）。
【請求項４】
前記シーリングガスケット（１）は、前記外縁輪（４）から延在するロアリップ（２０）を備え、前記蓋（３）が配置される間、該ロアリップが、前記容器のリム（１２）に対して密封される方法で耐えるように設計されることを特徴とする請求項２または請求項３に記載のガスケット（１）。
【請求項５】
前記ロアリップ（２０）が、少なくとも第１の部分（２１）と、前記第１の部分から延在する少なくとも第２の部分（２２）とを有し、前記２つの部分（２１、２２）が互いに対して傾斜していることを特徴とする請求項４に記載のガスケット（１）。
【請求項６】
前記第１の部分（２１）が、前記外縁輪（４）から前記蓋（３）の中心に向かって実質的に水平に延在し、垂線に対してある角度αで、例えば、０度から６０度までの範囲のある角度で前記容器（２）の下部に向かって傾斜している前記第２の部分（２２）に延長されることを特徴とする請求項５に記載のガスケット（１）。
【請求項７】
前記ロアリップ（２０）が、前記ロアリップの末端（２０Ｃ）から前記ロアリップ（２０）の層の中に設けられた複数の切欠き（２０Ａ）を備え、複数の凹所（１０Ａ）が、その全高にわたって前記ガスケットの外周に設けられることを特徴とする請求項４乃至請求項６のうちのいずれかに記載のガスケット（１）。
【請求項８】
前記シーリングガスケット（１）が、前記外縁輪（４）から延在するアッパリップ（２５）をさらに含み、アッパリップが、前記蓋（３）に当接し密封されるように設計されることを特徴とする請求項２乃至請求項７のうちのいずれかに記載のガスケット（１）。
【請求項９】
前記アッパリップ（２５）が、その表面にわたって、リブまたは溝形式の実質的に半径方向の複数個の形状を備え、それらが、互いに離間し、前記蓋（３）と接触した前記アッパリップ（２５）の上面に隙間を形成することを特徴とする請求項８に記載のガスケット（１）。
【請求項１０】
前記アッパリップ（２５）が、前記アッパリップ（２５）と前記蓋（３）との間の密封を容易にするための例えば、Ｏ型リングの円環体を形成する突出部（２８）を端部に有することを特徴とする請求項８または請求項９に記載のガスケット（１）。
【請求項１１】
請求項１乃至請求項１０のうちのいずれかに記載のシーリングガスケット（１）を備えるか、または備えるのに適している加圧された調理器具。
【請求項１２】
前記器具が蒸気調理器または圧力鍋であることを特徴とする請求項１１に記載の加圧された調理器具。
【請求項１３】
加圧された調理器具用のＶ字形のリップガスケットであって、
前記ガスケットが、外縁輪（４）と、前記ガスケット（１）を前記容器（２）および、前記調理器具の前記蓋（３）に対して心出しするように設計された心出し手段（５、５Ａ）とを含み、
前記ガスケットは、該ガスケットが、前記外縁輪（４）の下方に延在し前記外縁輪を延長する外周下輪（４Ａ）を含み、
前記心出し手段（５Ａ）が、前記外周下輪（４Ａ）の内面（４Ｂ）上に位置付けられ、心出用当接を形成するように前記容器と接触するように設計された複数の局所的な厚肉領域（５Ａ）によって形成されることを特徴とするＶ字形のリップガスケット。
【請求項１４】
前記局所的な厚肉部（５Ａ）が、円柱状のドーム形によって形成されることを特徴とする請求項１３に記載のガスケット。
【発明の詳細な説明】
【技術分野】
【０００１】
本発明は、周囲が蒸気で満たされた状態で圧力下で調理するための加圧された調理器具における例えば「蒸気調理器」や「圧力鍋」として知られた器具の技術分野全般に関し、さらに詳細には、動作時に器具の内側と外側との間を密封するように、それらの器具に配置されるように設計されたシーリングガスケットに関する。
【０００２】
このように、本発明は、圧力下で調理するための器具（以下、加圧された調理器具）用のシーリングガスケットであって、前記器具が、蓋がその上に装着されるように設計されている容器と、器具を密封するための容器と蓋との間に介在されるシーリングガスケットと、ガスケットを容器および蓋に対して心出しするように設計された心出し手段とを備えるシーリングガスケットに関する。本発明は、さらに、本発明のシーリングガスケットを備えるか、または備えるのに適した加圧された調理器具にも関する。本発明は、さらに、加圧された調理器具用のＶ字形のリップガスケットであって、動作時に調理器具の前記蓋と容器との間を密封するように調理器具の蓋に装着されるように設計されており、外縁輪をさらに含むガスケットにも関する。
【背景技術】
【０００３】
問題の器具の種類にかかわらず、非限定的に、ロック用のバーを有する圧力鍋にも、差込み取付け具を有する圧力鍋にも、ジョーを有する圧力鍋にも、内部に装着する蓋を有する圧力鍋にも、シーリングガスケット、例えばエラストマー材から作製されたシーリングガスケットを加圧された調理器具を密封するのに使用できることが既に知られている。
【０００４】
そのようなガスケットは、通常、蓋を器具の容器上に配置する間に容器に位置し、器具に圧力を加えている間と調理サイクル全体を通じて調理用の密閉容器の内側と外側との間の密封をもたらすように、適切な手段によって蓋に配置される。
【０００５】
このように、例えば、ロック用のバーを有する圧力鍋に使用される「ロープシール」タイプのガスケットが知られている。「リップシール」タイプのガスケットも知られており、この種類のガスケットは、断面が概してチャネル状であり、器具の内側のリップの位置によって本質的に異なる。このように、第１の種類のリップシールガスケットが存在する。そのリップシールガスケットは、任意選択で対称形のリップを有し、それらのリップは、概して互いに平行であり、ガスケットが蓋に配置される間に蓋の水平面に配設される。第２の種類のリップシールガスケットも知られており、そのリップシールガスケットは、任意選択で対称形のリップを有し、それにより、ガスケットを蓋に配置するとそのリップが実質的に垂直にかつ概して互いに平行に配置される。
【０００６】
いずれにせよ、蓋を容器上に配置するとき、器具を密封すると共に器具を加圧可能かつ動作可能にするために、ガスケットの１つまたは複数のリップが圧力下に置かれる。
【０００７】
全体としては満足いくものではあるが、こうしたガスケットにはある欠点がある。したがって、圧力鍋の良好な動作、さらに実際に安全な動作、具体的には加圧するときの動作が、ガスケットが正確かつ適切に配置されていることに左右されるにもかかわらず、ガスケットの配置は難しいことが多い。ガスケットを不適切に配置したせいで、蓋と容器との間のシーリングに不具合が生じて、漏出が起こり、器具内で不完全な圧力上昇が起こるか、あるいは器具から流体が噴出してしまうことは珍しいことではない。
【０００８】
さらに、蓋への正確なガスケットの配置が難しいことに加えて、既知のシステムには、他に、容器上に蓋を心出しするためのシステムを設ける必要があることから生じる欠点がある。
【０００９】
心出しシステムは、容器上に蓋を十分に正確に心出ししながら、ガスケットが容器と蓋との間の正確かつ予め設定した位置を取ることを可能にして、ガスケットがそのために設計された様々なシーリング機能をガスケットが十分に実行できるようにするために必要である。
【００１０】
実際には、蓋上にガスケットを配置するのを助けるシステムおよび容器上に蓋を心出しするのを助けるシステムにより、ガスケットの配置が妨害され、結局、複雑で高価な製造手段を実装することが必要になると確認されている。リップシールガスケットを水平に配置する際には、ガスケットを配置し容器上に蓋を心出しするのを容易にするために、通常、蓋の縁部にある打ち抜き部分または貫通孔が使用され、それらの打ち抜き部分または孔も当接要素および基準マーク要素として働く。
【００１１】
それらの要素は、ガスケットの配置を防止し、使用者による配置の誤りを誘発する恐れすらある。最後には、適切な工具、適切な生産ライン編成、および部品のチェックのための特殊なプロセスが必要になる。リップシールガスケットを垂直に配置する際には、例えば、蓋の内側の縁部を丸めてロール状のリムを形成するが、これにより、蓋の製造が複雑になり、特殊な技術が必要になる。要約すると、現在利用可能な技術的解決策は、十分に満足いくものではなく、改善が必要である。
【発明の概要】
【００１２】
したがって、本発明に割り当てられた目的は、上記で言及した様々な欠点に対処することと、器具の容器に対して蓋を心出しすることが可能でありながらも配置が特に単純であり特に効率的な加圧された調理器具用の新規のシーリングガスケットを提案することである。
【００１３】
本発明の別の目的は、特に単純で安価な手段によって改善されたシーリングを得る加圧された調理器具用の新規のシーリングガスケットを提案することである。
【００１４】
本発明の別の目的は、低減された力でシーリングを得る加圧された調理器具用の新規のシーリングガスケットを提案することである。
【００１５】
本発明に割り当てられた別の目的は、安全性を、具体的には、不適切に使用した際の過剰圧力の安全性を改善可能にする調理器具用の新規のシーリングガスケットを提案することである。
【００１６】
本発明に割り当てられた別の目的は、加圧された調理器具用のシーリングガスケットであって、前記器具が、蓋がその上に装着されるように設計されている容器と、器具を密封し器具を動作可能にするための、容器と蓋との間に介在されるシーリングガスケットと、ガスケットを容器および蓋に対して心出しするように設計された心出し手段と
を備え、前記シーリングガスケット（１）は、そのシーリングガスケット（１）が、外縁輪と、その外縁輪の下で延在しその外縁輪を延長する外周下輪とを備え、心出し手段が、心出しして当接させるように蓋を容器上に配置しながら前記心出し手段を蓋と容器との間に挿入できるようにしてガスケットに設置または配設され、前記心出し手段が、複数の局所的厚肉領域によって形成され、前記外周下輪の内面上に位置し、容器と接触するように設計されることを特徴とする、シーリングガスケットによって達成される。
【００１７】
本発明に割り当てられた目的は、やはり、加圧された調理器具用のＶ字形のリップガスケットであって、そのガスケットが、外縁輪と、ガスケットを容器および調理器具の蓋に対して心出しするように設計された心出し手段とを含み、前記ガスケットは、そのガスケットが、外縁輪の下で延在しその外縁輪を延長する外周下輪を含むことと、心出し手段が、前記外周下輪内面上に位置し心出しして当接させるように容器と接触するように設計された複数の局所的厚肉領域によって形成されることを特徴とするによってリップガスケットによって達成される。
【００１８】
単なる非限定的な例示によって与えられた添付の図面を参照すると、本発明の他の目的および利点が以下の説明からより詳細に明らかになる。
【図面の簡単な説明】
【００１９】
【図１】シーリングガスケットの好ましい実施例の斜視図である。
【図２】図１から取ったシーリングガスケットの実施例の一部の詳細な斜視図である。
【図３】シーリングガスケットの対応する断面を示す図１のＩＩＩ−ＩＩＩ線に沿った断面図である。
【図４】シーリングガスケットの対応する断面を示す図１のＩＶ−ＩＶ線に沿った断面図である。
【図５】圧力鍋の蓋の内側に装着されたガスケットの好ましい実施例の一部の断面図である。
【図６】加圧された調理器具内のガスケットの配置を示す本発明の好ましい実施例の一部の断面図である。
【図７】加圧された調理器具内で異常な位置にあるガスケットの動作を示す部分断面図である。
【図８】加圧された調理器具内で異常な位置にあるガスケットの動作を示す部分断面図である。
【図９】本発明のシーリングガスケットの実施例を上から見て示す斜視図である。
【図１０】本発明のシーリングガスケットの実施例を下から見て示す斜視図である。
【図１１】図９および図１０に示すガスケットと同一の本発明のガスケットの位置を示す部分断面図である。
【図１２】加圧された調理器具内で異常な誤った上昇途上位置にある図９および図１０に示す本発明のガスケットの位置を示す部分断面図である。
【発明を実施するための形態】
【００２０】
図１乃至図８は、蓋３が装着されるように設計されている容器２を含む蒸気調理器タイプまたは圧力鍋タイプの加圧された調理器具内に装着および位置決めされるように設計されているシーリングガスケット１を示す。
【００２１】
よく知られているように、ガスケット１は、変形可能なプラスチック材料や、エラストマー型、例えば、シリコンから作られる。
【００２２】
また、既知の方法で、調理器具、例えば、圧力鍋は、容器２に対して蓋３を固定または解放するロッキング／アンロッキング装置（図示せず）を備える。そのロッキング／アンロッキング装置は、例えば、複数のロック用のバー、差込み取付け具、または、ジョーを有するいずれかの既知の種類のものでよく、それは、本発明の範囲の限定につながるようなロックのタイプ、即ち、そうした性質もなしに、内部に装着された蓋を有する種類のもの、または、マンホールタイプの圧力鍋について可能である。
【００２３】
既知の方法で、本発明の加圧された調理器具は、適切であり、こうした種類の器具を十分安全に動作可能にするために必要とされる様々な安全装置（図示せず）も備えている。特に、それらの安全装置は、１個以上の過剰圧力用安全調整弁備え、随意に、器具を安全に開けるシステムを備える。
【００２４】
図に示されるように、シーリングガスケット１は、器具を密封し動作可能にするために容器２と蓋３との間に介在される。そのガスケット１は、蓋３が容器に配置され固定される場合、容器２および蓋３によって形成された筐体の内部が外部環境から密封されるように隔絶されるような方法で作用するように設計されている。そのガスケットによって得られる密封により、器具がその通常の動作圧力に到達し、通常の完全な調理の一連の動作を実行できるように、圧力が器具内部で増大可能となる。
【００２５】
図に示される例では、本発明のシーリングガスケット１は、好ましくは、円形であり、相補形の円形である調理器具にも対応させることを目的としている。ガスケットの全体的な幾何学的な形状は、それとは異なるものでよく、例えば、問題の調理器具の幾何学的な形状に対応させるために、必要に応じて、実質的に楕円形、正方形、または何らかの他の形状であってもよいものとする。
【００２６】
図に示されるように、本発明の調理器具は、容器２および蓋３に対してガスケット１を心出しするように設計された心出し手段５を備える。
【００２７】
図示のように、本発明のガスケット１は、例えば、断面が実質的に一様の外縁輪４によって構成される環状のガスケットのような全体形状をしている。外縁輪４がガスケット１の中核を形成しその本質的な機能の一つとしてシーリングの機能を有する。
【００２８】
蓋３は、好ましくは、半径方向外方に延び蓋３の外側の方に行く凸形の隆起した中央領域３Ａを備え、下方に延びる側面６がそれに続き、環状の平坦部７と、好ましくは、実質的に平坦でかつ垂直である下方に延在し内側に丸まった端部９で終わる環状のリム８とがそれに続く。したがって、環状の平坦部７は、下方向に延在するリム８およびロール状の端部９と協働して、外縁輪４および心出し手段５が内側に収容されるように設計される環状のチャネル１０を画定する。当然に、環状のチャネル１０および外縁輪４および心出し手段５のそれぞれの寸法および幾何学的な形状は、ガスケットが保持され、密封がもたらされ、容器２における蓋３の心出しが得られるように、適切であり、相補形である。
【００２９】
この目的のために、図に示される本発明の好ましい変形例、特に図６において、容器２は、器具の下部（図示せず）から実質的に垂直に立ち上がる壁２Ａを有している。該壁２Ａは、器具の対称主軸（Ｘ−Ｘ’）に対して実質的に半径方向外方に延在する容器のリム１２を介して上端部に向かって延在する。有利なことに、容器のリム１２は、器具の中心に面するわずかな円錐形を画定するように、実質的に平坦であり、図に示されるように水平に対してわずかに傾斜されている。しかし、容器のリム１２は、本発明の範囲を超えることなく、実質的に水平であってもよい。有利なことに、容器のリム１２は、実質的に垂直下方向に延在するリム１３だけ外方に延びている。本発明によれば、心出し手段５は、心出し用の当接を形成するように蓋が容器２に配置される間、前記心出し手段５が蓋３と容器２との間に置かれるようになるようにガスケット１内に設けられ、即ち、配置される。この特徴により、ガスケット１が、容器２および蓋３に対しその内周縁および外周縁における所定位置に保持され得る。
【００３０】
第１の変形実施例（図示せず）では、外縁輪４をその下部においてその全周にわたる下輪に及び、一定の高さを超える心出し手段５を形成することができる。この変形例では、外縁輪および心出し手段５の断面の全体の高さが、下方向に延在する環状のリム８の高さに実質的に一致し、心出し手段５の厚さが、例えば、端部９の幅に実質的に一致する、あるいは、蓋３を容器２上に配置しそれと合体する間、この例ではガスケット１の下端部と、心出し手段５とが、その１つまたは複数の周縁の内面を介して下方に延在するリム１３に当接するように、前記幅よりも大きいことが有利である。
【００３１】
このように、本発明の有利な変形例では、シーリングガスケット１は、蓋３の環状のチャネル１０内に保持され、即ち、保持されるように設計されている外縁輪４を含み、心出し手段５は、ガスケット１を確実に適切に配置しながら蓋３および容器２が互いに対して心出し可能とされる当接手段を、心出し手段および外縁輪が形成することができるように前記外縁輪４から半径方向に延在しかつ前記外縁輪の下部に延在する。
【００３２】
本発明の特に有利な種類において、特に図１乃至図６に示すように、所望の心出し効果を得るために心出し手段５が、外縁輪４の周縁長に一致する周縁長さにわたって必要はない。言い換えると、心出し手段５は、ガスケット１の全高が環状のチャネル１０の全高に実質的に一致する複数個のセクタＳ（図２）を形成するために外縁輪４に沿った長さの一部分にわたって不連続に外縁輪４から半径方向に延在している。そのため、前記セクタＳ内では、心出し効果を得るために心出し手段５の内面４Ｂが容器２に、また、下方向に延在するリム１３に当接することができることが好都合である。
【００３３】
図示のように、非限定的な有利な種類では、環状のガスケットは、例えば、９個の個別の心出し手段５を画定する９個のセクタＳを有し得る。
【００３４】
また、図に示されるように、心出し手段５は、外縁輪４と一体形成されることが有利であり、または代替的に（図示せず）、複数の心出し手段が前記外縁輪４に固定されてもよい。外周（下方向に延在するリム８の高さ未満）にわたって高さが一様の外縁輪４を設けることを考えることが可能であり、接着、挿入、またはクリップ留め、あるいは、本発明の範囲を超えることなしに、ガスケット１とは異なり心出し手段５を形成する複数の部品を固定するための任意の全く等価の手段を使用することが可能である。
【００３５】
有利なことに、シーリングガスケット１は、外縁輪４から延在するロアリップ２０を備えている。そのロアリップ２０は、蓋３が所定位置に配置される間、容器２に対して、有利なことに、容器のリム１２に対して密封方法に耐えるように設計されている。
【００３６】
特に有利な方法において、ロアリップ２０は、できるだけ小さいがそれにもかかわらず最適な密封を得るのに十分な力により、容器のリム１２に嵌まるようにした幾何学的輪郭を有する。この目的のために、有利な方法で、ロアリップ２０は、少なくとも第１の部分２１と、第１の部分から延在する少なくとも第２の部分２２とを有している。それらの２つの部分は、互いに対して傾斜している。したがって、非常にわずかにのみロアリップ２０が内側に変形する状態で、蓋３の閉塞を妨害する垂直方向の力も最小限とされ、ロアリップ２０の内面が容器のリムに当たることによって良好な密封を促進する所望の効果を得ることができる。
【００３７】
図３および図４に示される特に有利な種類では、第１の部分２１は、ガスケット１が蓋３内の静止位置にある場合、蓋３の中心およびＸ−Ｘ’ 軸に向かって、外縁輪４から実質的に水平に、半径方向に延在する。前記第１の部分２１は、垂線に対して約３５度、例えば、０度から６０度までの範囲にある角度α（図３）で容器２（図５）の下部に向かって傾斜している第２の部分２２に達する。
【００３８】
そのような構成により、ガスケットは、その容器とその器具の外部との間に優れた密封をもたらすことができ、蓋の閉鎖を妨げる力を最小限に抑える。
【００３９】
また、本発明のシーリングガスケットは、外縁輪４から、実質的には、該外縁輪４の上端部から延在するアッパリップ２５を備えることが有利である。該アッパリップ２５は、蓋３と当接し、密封するように設計されている。更に詳細には、図に示されるように、アッパリップ２５は、環状の平坦部７の内面と当接し密封し、好ましくは、実質的にその全長にわたって当接し密封するように、形作られ、長さが決められている。したがって、蓋３と器具の外部との間の密封が、特に効果的に設けられる。
【００４０】
アッパリップ２５は、Ｘ−Ｘ’軸に対して実質的に半径方向に延在し、互いに均一又は不均一に離間している複数個のリブ２６（図２）を備えることが有利である。該リブ２６は、蓋３と接触する、特に、環状の平坦部７の内面と接触するように設計されている前記アッパリップの上面２７から突出している。第一に、複数個のリブ２６は、上向きのガスケット１が配されているかどうかを確認することを容易にする視覚的な基準マークを形成し、それにより、使用者がガスケット１を環状のチャネル１０内に適切に位置決めすることが簡単になり、第二に、前記リブ２６は、ガスケット１が異常な状態で、特に、逆さの状態で配置された場合、空気の漏出を容易にする手段を形成する。
【００４１】
図２に示すように、リブ２６は、心出し手段５を備えるセクタＳと実質的に位置合わせが正しくなるように、好ましくは、前記セクタの中心と位置合わせが正しくなるように、位置付けられ得る。好ましい変形例（不図示）によれば、リブ２６は、隣接する心出し手段５相互間におけるアッパリップ２５に設けられる。
【００４２】
図示していない変形例によれば、アッパリップ２５は、リブ２６の代わりに、またはそれに加えて、蓋の内面との接触面が不均一になるようにしてアッパリップ２５の厚さ内に設けられる実質的に半径方向の溝を備えることができる。
【００４３】
したがって、アッパリップ２５は、その表面にわたって、リブまたは溝タイプの実質的に半径方向の幾何学的な形状を複数備え、それらは、互いから離間し、蓋と接触したアッパリップ２５の上面に隙間を形成する。
【００４４】
有利なことに、アッパリップ２５は、外縁輪４の反対側の自由端部に、アッパリップ２５と蓋３との間のシーリングを容易にするための例えばＯ型リング円環体を形成する突出部、即ち、ビード２８を有する。
【００４５】
図９から図１２に示す本発明の好ましい変更実施例では、ガスケットは外周下輪４Ａを備え、その外周下輪４Ａは、外縁輪４の下で延在し、外縁輪４を延長している。図示のように、外周下輪４Ａは、外縁輪４および外周下輪４Ａが、好ましくは、実質的に重なり、互いに位置合わせして配置され、互いに平行な外面を有する２つのバンドを形成するようにして前記バンドと位置合わせして外縁輪４を延長する。
【００４６】
図１から図６に説明したガスケットと比較すると、図９から図１２に説明する変形例もやはり、本発明の心出し手段に対応する複数のセクタＳが複数の局所的厚肉領域５Ａによって形成され、それらの厚肉領域５Ａが、前記下輪４Ａの内面４Ｂに配置され容器２と接触するように設計されていることを特徴とする。したがって、局所的な厚肉領域５Ａは、半径方向の厚肉領域を形成し、これは、容器２の中心に向いており、内面４Ｂから前記容器２の中心に向かう方向に延在する。
【００４７】
局所的な厚肉領域５Ａは、ガスケットの周囲に沿って実質的に一様に角度方向に分配され、例えば、厚肉領域５Ａは、１０個乃至１４個ある。
【００４８】
当然、局所的厚肉領域５Ａは、外周下輪４Ａと一体形成してもよく、前記外周下輪４Ａに任意の適切な手段によって固定してもよい。
【００４９】
好ましくは、局所的厚肉領域５Ａは、面４Ｂと一体のベースを有するかまたは面４Ｂに固定された図９に示す一連の円柱状のドーム形によって形成される。
【００５０】
したがって、本発明は、加圧された調理器具用のＶ字形のリップガスケットに関する。そのガスケットは、外縁輪４を含み、心出し手段を備え、その心出し手段が、心出しして当接させるように蓋３を容器２上に配置しながら調理器具の蓋３と容器２との間に介在されるようにして外縁輪の下で延在することを特徴とする。シーリングガスケット１は、有利なことに、平行でない２つのリップを有するガスケットであり、それらのリップは、静止時に外縁輪４から非対称形のＶ字形を形成するように互いに傾斜しており、最低限の力による良好なシーリングが容易になる。動作位置では、本発明のＶ字形のガスケットのリップ２０および２６は、器具の容器２の下部に実質的に平行であり、すなわち実質的に水平である。
【００５１】
図９乃至図１２に示す本発明の好ましい変更実施例では、本発明のＶ字形のリップガスケットはさらに、上述したような外周下輪４Ａを含み、ロアリップ２０が局所的な厚肉領域と複数の切欠き２０Ａとを備える。その切欠き２０Ａが、前記ロアリップ２０の層の中に設けられ、前記ロアリップ２０の末端２０Ｃから始まる。隣接する２つのジョーの間を延在する外周セクタで蓋３が変形した場合に、切欠き２０Ａにより、ガスケットがクリープする（図１１）ことが可能になる。その外周セクタでは蓋がジョーによって保持されない。
【００５２】
異常な過剰圧力および器具の機能不全の場合に、切欠き２０Ａにより、その断面を通して、さらに、蓋の円筒形セクタのうちの隣接する２つのジョーによって保持されない部分と容器のリムとの間に設けられた漏出領域を通して、蒸気を漏出させることが可能になる。漏出領域は、１つまたは複数の凹所１０Ａにつながっており、その凹所１０Ａは、外縁輪４および外周下輪４Ａの厚さ内に、その高さ全体にわたって設けられる（図９および図１２）。これらの凹所の機能は、ガスケットが蓋２に逆さに装着されるのを防止することである。
【００５３】
したがって、クリープする切欠き２０Ａにより、ガスケットが容器のリムから逃げることが防止されるか、あるいははみ出すのが防止される。
【００５４】
本発明のＶ字形のリップガスケットは、外縁輪４の下で延在しその外縁輪４を延長する外周下輪４Ａを含むことと、心出し手段５Ａが、前記外周下輪の内面４Ｂ上に位置し容器と接触するように設計された複数の局所的な厚肉領域５Ａによって形成されることを特徴とする。
【００５５】
本発明は、加圧された調理器具用のＶ字形のリップガスケットであって、そのガスケットが、外縁輪４と、ガスケット１を調理器具の容器２および蓋３に対して心出しするように設計された心出し手段５、５Ａとを含み、前記ガスケットは、そのガスケットが、外縁輪４の下で延在しその外縁輪４を延長する外周下輪４Ａを含むことと、心出し手段５Ａが、前記外周下輪４Ａの内面４Ｂ上に位置し心出しして当接させるように容器と接触するように設計された複数の局所的な厚肉領域５Ａによって形成されることを特徴とするＶ字形のリップガスケットに関する。
【００５６】
ガスケットは、局所的な厚肉部５Ａが円柱状のドーム形によって形成されることを特徴とする。したがって、本発明のシーリングガスケット１の幾何学的な形状およびサイズの特徴により、環状のチャネル１０内への誤った配置をするリスクなしにそのガスケット１を簡単に配置することが可能になり、前記ガスケットは、外径が蓋３の内径に近いことで蓋３内に残る。ガスケットを環状のチャネル１０内に保持することは、外周下輪４Ａの下に配設された外縁輪４の高さと心出し手段５の高さを合わせることによって容易になり、合計の高さにより、ガスケット１が環状のチャネル１０の体積にぴったりと嵌まることが可能になる（図５）。
【００５７】
アッパリップ２５は、具体的にはＯ型リング円環体を形成するビード２８は、配置されると、蓋３の底面と協働するようになり、蓋のところで正確に器具の内側と外側との間をシーリングする。
【００５８】
蓋３を閉鎖し容器２にロックする間に、心出し手段５は、蓋３および容器２に対して外周全体にわたってシーリングガスケット１を良好に配置しながらも、容器２のリムの外側と協働して蓋３と容器２とを心出しする。
【００５９】
蓋３を配置する間に、ロアリップ２０は、変形が最小の状態で、自然に容器のリム１２に位置し、それにより、容器と器具の外側との間のシーリングを低減させることなく、器具の閉鎖が特に簡単になる。
【００６０】
したがって、互いに接触する部品のために選択される全ての幾何学的な形状により、器具を正確に閉鎖し、ロックし、密封するのに必要な力を最小限に抑えることを可能にしながらも、蓋３の優れた心出しが可能になる。
【００６１】
本発明のガスケット１は、また、器具を開けている間の利点を得ている。
【００６２】
本発明のシーリングガスケット１は、また、ガスケット１が間違った配置になり、具体的には図７および図８に示すように逆さに配置されるときに器具からの主な空気漏れが発生するように設計される限り、特に有利である。
【００６３】
これらの図では、ガスケット１は外周チャネル１０に逆さに配置されており、アッパリップ２５が容器のリム１２と当接しており、器具が動作していないときに（図７）、すなわち、器具内で優勢の圧力は実質的に大気圧に等しい。
【００６４】
まず、このような機能不全が想定される場合に、ガスケットのリップ２０、２６、具体的にはリップ２５を不適切に配置し、容器への蓋３の適切な合体を妨害するリップの弾性に起因した力に打ち勝つことが必要である限り、器具を閉じるのに必要な力は大きいことを確認することができる。
【００６５】
さらに、リブ２６が容器のリム１２に当接するようになり、それにより、まず様々なリブ２６と上面２７との間、次に様々なリブ２６と容器のリム１２との間に漏出のための大きい隙間が残ることが確認される。結果として生じる漏出用の大きい隙間により、相関的に、大規模な漏出Ｆ（図８）が生み出され、器具内の圧力上昇が防止され、したがって、ガスケットが間違った配置になる場合、使用者にとって安全度が高まる。
【００６６】
図９乃至図１２に示す本発明のガスケットは、また、本発明のガスケットが間違った配置になるかまたは逆さに配置される場合に特に有利である。
【００６７】
図１２に示すように、本発明のガスケットが意図せずして逆さに配置される場合は、蓋３の内面に位置しクリープする切欠き２０Ａ、およびその高さ全体にわたって、すなわち外縁輪４および外周下輪４Ａの高さにわたって環状のチャネル１０に向いたヒールを形成するガスケットの外周に設けられた凹所１０Ａから、自然の漏出通路Ｆ（図１２）が生み出される。
【００６８】
こうした技術的な特性により、ガスケットのヒールと蓋２との間に、さらに本発明のガスケットが逆さまたは異常に配置されると器具が圧力上昇できないように切欠き２０Ａを通して自然の漏出が発生することが可能である。
【産業上の利用可能性】
【００６９】
本発明は、家庭用器具、具体的には圧力鍋を製造するために産業上利用可能である。
【図１】
2013515530.tif 000003
【図２】
2013515530.tif 000004
【図３】
2013515530.tif 000005
【図４】
2013515530.tif 000006
【図５】
2013515530.tif 000007
【図６】
2013515530.tif 000008
【図７】
2013515530.tif 000009
【図８】
2013515530.tif 000010
【図９】
2013515530.tif 000011
【図１０】
2013515530.tif 000012
【図１１】
2013515530.tif 000013
【図１２】
2013515530.tif 000014
【国際調査報告】
2013515530.tif 000015
2013515530.tif 000016
2013515530.tif 000017
2013515530.tif 000018
2013515530.tif 000019
2013515530.tif 000020